(57)【要約】【課題】  テレビジョン装置がインターネットに接続可能であるか否かに拘わらず、テレビ放送とＷｅｂコンテンツとをそれぞれ適切な表示装置および表示面積によって並行して視聴することを目的とする。【解決手段】  本発明の無線通信システム１００における、携帯通信端末１１０は、アクセスポイントを通じてＷｅｂ情報を取得する第１無線通信部２２６と、取得したＷｅｂ情報をテレビジョン装置１６０に送信する第２無線通信部２２８と、を備え、テレビジョン装置は、ＴＶディスプレイ３１４と、地上波デジタル放送を受信するＴＶ放送受信部と、受信した地上波デジタル放送をＴＶディスプレイに表示するＴＶ放送表示部３１８と、携帯通信端末からのＷｅｂ情報を受信するＴＶ無線通信部３２０と、受信したＷｅｂ情報によって特定されるＷｅｂコンテンツをＴＶディスプレイに表示するＷｅｂ表示部３３２と、を備えることを特徴とする。【選択図】    図５
2009290395.tif 000002
【特許請求の範囲】
【請求項１】
携帯通信端末と、地上波デジタル放送を受信可能なテレビジョン装置とを含む無線通信システムであって、
前記携帯通信端末は、
アクセスポイントを通じてＷｅｂ情報を取得する第１無線通信部と、
前記取得したＷｅｂ情報を前記テレビジョン装置に送信する第２無線通信部と、
を備え、
前記テレビジョン装置は、
ＴＶディスプレイと、
地上波デジタル放送を受信するＴＶ放送受信部と、
前記受信した地上波デジタル放送を前記ＴＶディスプレイに表示するＴＶ放送表示部と、
前記携帯通信端末からのＷｅｂ情報を受信するＴＶ無線通信部と、
前記受信したＷｅｂ情報によって特定されるＷｅｂコンテンツを前記ＴＶディスプレイに表示するＷｅｂ表示部と、
を備えることを特徴とする無線通信システム。
【請求項２】
前記Ｗｅｂ表示部は、前記Ｗｅｂコンテンツと地上波デジタル放送とを並べて表示させることを特徴とする請求項１に記載の無線通信システム。
【請求項３】
前記携帯通信端末は、
端末ディスプレイと、
地上波デジタル放送を受信する端末放送受信部と、
前記受信した地上波デジタル放送を前記端末ディスプレイに表示する端末放送表示部と、
をさらに備え、
前記第２無線通信部はさらに前記受信している地上波デジタル放送のチャネル情報をテレビジョン装置に送信し、
前記ＴＶ無線通信部はさらに前記チャネル情報を受信し、
前記テレビジョン装置は、前記受信したチャネル情報により特定される地上波デジタル放送を前記ＴＶ放送受信部に受信させるチャネル連動部をさらに備えることを特徴とする請求項１または２に記載の無線通信システム。
【請求項４】
前記端末放送表示部は、前記チャネル連動部によるチャネルの連動が実行されたことを認識した後、前記端末ディスプレイへの地上波デジタル放送の表示を切断することを特徴とする請求項３に記載の無線通信システム。
【請求項５】
前記Ｗｅｂ情報は、前記端末放送受信部により取得した地上波デジタル放送に付随したデータ放送におけるＷｅｂ  ｔｏ機能を通じて取得されることを特徴とする請求項３または４に記載の無線通信システム。
【請求項６】
前記携帯通信端末は、操作キー群、タッチパネル、およびスムースタッチ部を備えることを特徴とする請求項１から５のいずれか１項に記載の無線通信システム。
【請求項７】
アクセスポイントを通じてＷｅｂ情報を取得する第１無線通信部と、
地上波デジタル放送を表示可能なテレビジョン装置に前記取得したＷｅｂ情報によって特定されるＷｅｂコンテンツを表示させるため、該Ｗｅｂ情報を該テレビジョン装置に送信する第２無線通信部と、
を備えることを特徴とする携帯通信端末。
【請求項８】
携帯通信端末を用いて、地上波デジタル放送を受信可能なテレビジョン装置を操作する端末操作方法であって、
前記携帯通信端末は、
アクセスポイントを通じてＷｅｂ情報を取得し、
前記取得したＷｅｂ情報をテレビジョン装置に送信し、
前記テレビジョン装置は、
前記携帯通信端末からのＷｅｂ情報を受信し、
前記受信したＷｅｂ情報によって特定されるＷｅｂコンテンツを地上波デジタル放送と共にＴＶディスプレイに出力することを特徴とする端末操作方法。
【発明の詳細な説明】
【技術分野】
【０００１】
本発明は、地上波デジタル放送を受信可能なテレビジョン装置の表示を操作可能な無線通信システム、携帯通信端末および端末操作方法に関する。
【背景技術】
【０００２】
２００３年１２月から開始された地上波デジタル放送は、全国に受信可能エリアを拡大し、従来の地上波アナログ放送の終了に向けて利用者も増加の傾向にある。地上デジタル放送は、ＯＦＤＭ（Orthogonal Frequency Division Multiplex：直交周波数分割多重）による、固定テレビジョン装置受信用の１２セグメント（以下、単に１２セグ放送という。）と携帯通信端末受信用の１セグメント（以下、単にワンセグ放送といい、１２セグ放送とワンセグ放送を合わせてテレビ放送と称する。）との１３セグメントを有する電波を介して放送信号を伝達する方式であり、地上波アナログ放送と比べて、ゴーストや雑音が抑制されたより高品質な映像と音声を受信することができる。
【０００３】
ワンセグ放送は、携帯電話やＰＨＳ(Personal Handy phone System)等に代表される携帯通信端末によって場所や時間を問わず視聴可能であり、その携帯性を活かした新たな利用形態が検討されつつある。
【０００４】
また、ワンセグ放送等地上波デジタル放送では、その映像および音声配信と並行してデータ放送を受信することができる。このようなデータ放送を受信し携帯通信端末の端末ディスプレイに表示しようとすると、２分割された表示画面の一方にワンセグ放送、他方にデータ放送が表示されることとなる。そのため、ワンセグ放送およびデータ放送のいずれの画面も縮小され視聴し難くなる。このように、小型化に従い表示画面の大きさが制限される携帯通信端末では、その視聴の多様化に対応できないといった問題がある。
【０００５】
一方、１２セグ放送を視聴可能な固定テレビジョン装置において、携帯通信端末のダイヤルプッシュボタンをリモコンのように操作してテレビ番組の選局に用いる技術が知られている（例えば、特許文献１）。また、固定のテレビジョン装置に１２セグ放送を表示し、子機にテレビ番組に関連した文字情報を表示する技術も公開されている（例えば、特許文献２）。かかる技術により、ユーザは、テレビ番組を楽しみつつ、その情報を確認することが可能となる。
【特許文献１】特開２００５−４５３５０号公報
【特許文献２】特開平１１−１９６３４５号公報
【発明の開示】
【発明が解決しようとする課題】
【０００６】
ところで、地上波デジタル放送に付随したデータ放送では、ＢＭＬ（Broadcast Markup Language）データ内のＷｅｂ  ｔｏスキームを通じて外部のＷｅｂサーバに直接リンクすることが可能なリンクオブジェクトが記載され、携帯通信端末においても、かかるリンクオブジェクトを選択することにより様々なＷｅｂコンテンツを煩雑な手入力なしで容易に参照することが可能となる。
【０００７】
しかし、携帯通信端末において上記のＷｅｂコンテンツの表示を試みると、元々表示されていた地上波デジタル（ワンセグ）放送やデータ放送の表示が隠されてしまい、テレビ番組視聴とＷｅｂブラウザの操作を同時に実行できないといった問題があった。仮に上記のＷｅｂブラウザと地上波デジタル放送およびデータ放送とを画面分割によって同時に表示できたとしても、それぞれが占有できる画面の大きさが相対的に小さくなり視聴困難になることが予想され、その機能を果たせないといった結果を招く虞がある。
【０００８】
また、このようなＷｅｂ  ｔｏ機能を固定のテレビジョン装置で遂行しようとしても、テレビジョン装置がインターネットに対応していなかったり、仮に対応していたとしてもその接続が為されていなかったりするので、その有効利用を図ることができなかった。
【０００９】
本発明は、このような問題に鑑み、テレビジョン装置がインターネットに接続可能であるか否かに拘わらず、携帯通信端末を介してＷｅｂ情報を取得することで、テレビ放送とＷｅｂコンテンツとをそれぞれ適切な表示装置および表示面積によって並行して視聴することが可能な無線通信システム、携帯通信端末および端末操作方法を提供することを目的としている。
【課題を解決するための手段】
【００１０】
上記課題を解決するために、本発明の代表的な構成は、携帯通信端末と、地上波デジタル放送を受信可能なテレビジョン装置とを含む無線通信システムであって、携帯通信端末は、アクセスポイントを通じてＷｅｂ情報を取得する第１無線通信部と、取得したＷｅｂ情報をテレビジョン装置に送信する第２無線通信部と、を備え、テレビジョン装置は、ＴＶディスプレイと、地上波デジタル放送を受信するＴＶ放送受信部と、受信した地上波デジタル放送をＴＶディスプレイに表示するＴＶ放送表示部と、携帯通信端末からのＷｅｂ情報を受信するＴＶ無線通信部と、受信したＷｅｂ情報によって特定されるＷｅｂコンテンツをＴＶディスプレイに表示するＷｅｂ表示部と、を備えることを特徴とする。
【００１１】
本発明では、携帯通信端末の第１無線通信部がＣＤＭＡ（Code Division Multiple Access）やＷｉＭＡＸ（Worldwide Interoperability for Microwave Access）等を用いてＷｅｂサイトに接続、ＨＴＭＬ文書およびリンクオブジェクトを含むＷｅｂ情報を受信し、第２無線通信部がＷｉＦｉ（Wireless Fidelity）やブルートゥース（Bluetooth（登録商標））等を用いてそのＷｅｂ情報をテレビジョン装置に送信する。テレビジョン装置では、Ｗｅｂブラウザを備えたＷｅｂ表示部がＷｅｂ情報によって特定されるＷｅｂコンテンツをテレビ番組同様そのＴＶディスプレイに出力する。このように、Ｗｅｂ情報の取得経路として携帯通信端末を、その表示装置として既存のテレビジョン装置を有効に用いることで、Ｗｅｂコンテンツを視認するために携帯通信端末を把持した状態で静止しなければならないといった煩わしさを排除できると共に、テレビ放送とＷｅｂコンテンツとをそれぞれ適切な表示装置および表示面積によって並行して視聴することが可能となる。
【００１２】
Ｗｅｂ表示部は、Ｗｅｂコンテンツと地上波デジタル放送とを並べて表示させてもよい。かかる構成により、大画面、高解像度で地上波デジタル放送とＷｅｂコンテンツとを同時に視聴することが可能となる。
【００１３】
携帯通信端末は、端末ディスプレイと、地上波デジタル放送を受信する端末放送受信部と、受信した地上波デジタル放送を端末ディスプレイに表示する端末放送表示部と、をさらに備え、第２無線通信部はさらに受信している地上波デジタル放送のチャネル情報をテレビジョン装置に送信し、ＴＶ無線通信部はさらにチャネル情報を受信し、テレビジョン装置は、受信したチャネル情報により特定される地上波デジタルをＴＶ放送受信部に受信させるチャネル連動部をさらに備えてもよい。
【００１４】
携帯通信端末には、チューナが搭載され、テレビジョン装置を介すことなく地上波デジタル放送やそれに付随するデータ放送を受信できる。本発明においては、携帯通信端末がトリガとなって自体で受信しているテレビ番組（チャネル）を、大画面、高解像度のテレビジョン装置に連動して表示させることができ、リモートコントローラの如く手元でテレビジョン装置のチャネルを選択することが可能となる。また、携帯通信端末およびテレビジョン装置の両方を１つの携帯通信端末で操作することが可能となることから、煩雑な複数のリモートコントローラを準備する必要すらなく、時間や場所に拘わらず携帯通信端末を用いて容易に操作することが可能となる。
【００１５】
端末放送表示部は、チャネル連動部によるチャネルの連動が実行されたことを認識した後、端末ディスプレイへの地上波デジタル放送の表示を切断してもよい。
【００１６】
かかる構成により、文字案内を含むデータ放送を、端末ディスプレイ全域を利用して視認することができる。従って、文字視認は手元の装置で、テレビ放送やＷｅｂコンテンツは大画面、高解像度の装置でといった具合に、それぞれを目的に合った適切な表示装置および表示面積に割り当てることが可能となる。
【００１７】
Ｗｅｂ情報は、端末放送受信部により取得した地上波デジタル放送に付随したデータ放送におけるＷｅｂ  ｔｏ機能を通じて取得されてもよい。Ｗｅｂ  ｔｏ機能は、ＢＭＬデータ内に記載されている外部リンク（二次リンク）に関する記載に基づき外部のＷｅｂサーバにアクセスする機能である。
【００１８】
かかる構成により、煩わしい手入力によるＷｅｂサーバの指定を伴うことなく、地上波デジタル放送に関連したＷｅｂコンテンツを容易に取得することができる。
【００１９】
携帯通信端末は、操作キー群、タッチパネル、およびスムースタッチ部を備えてもよい。かかる構成により、例えば、操作キー群を通じてテレビジョン装置のチャネル、音量、入力切換等を操作し、タッチパネルを通じてデータ放送を操作し、スムースタッチ部を通じてテレビジョン装置に表示したＷｅｂコンテンツのスクロールやポインティング等を実行することができる。従って、１台の携帯通信端末のみを用いて、かつ、異なる操作形態を通じて、全ての主要なデジタル放送コンテンツのＧＵＩ（Graphical User Interface）操作が可能となる。
【００２０】
本発明にかかる携帯通信端末の代表的な構成は、アクセスポイントを通じてＷｅｂ情報を取得する第１無線通信部と、地上波デジタル放送を表示可能なテレビジョン装置に取得したＷｅｂ情報によって特定されるＷｅｂコンテンツを表示させるため、Ｗｅｂ情報をテレビジョン装置に送信する第２無線通信部と、を備えることを特徴とする。
【００２１】
本発明にかかる代表的な他の構成は、携帯通信端末を用いて、地上波デジタル放送を受信可能なテレビジョン装置を操作する端末操作方法であって、携帯通信端末は、アクセスポイントを通じてＷｅｂ情報を取得し、取得したＷｅｂ情報をテレビジョン装置に送信し、テレビジョン装置は、携帯通信端末からのＷｅｂ情報を受信し、受信したＷｅｂ情報によって特定されるＷｅｂコンテンツを地上波デジタル放送と共にＴＶディスプレイに出力することを特徴とする。
【００２２】
上述した無線通信システムの技術的思想に基づく構成要素やその説明は、当該携帯通信端末や端末操作方法にも適用可能である。
【発明の効果】
【００２３】
以上説明したように本発明によれば、テレビジョン装置がインターネットに接続可能であるか否かに拘わらず、携帯通信端末を介してＷｅｂ情報を取得することで、テレビ放送とＷｅｂコンテンツとをそれぞれ適切な表示装置および表示面積によって並行して視聴することが可能となる。
【発明を実施するための最良の形態】
【００２４】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２５】
（無線通信システム１００）
図１は、無線通信システム１００の概略的な接続関係を示した説明図である。当該無線通信システム１００は、携帯通信端末１１０と、携帯通信端末１１０のアクセスポイントとしての基地局１２０と、基地局１２０に接続されＩＳＤＮ(Integrated Services Digital Network)回線、インターネット、専用回線等で構成される通信網１３０と、通信網１３０に接続されたＷｅｂサーバ１４０と、地上波デジタル放送を発信する放送局１５０と、その地上波デジタル放送を受信するテレビジョン装置１６０と、を含んで構成される。アクセスポイントは携帯通信端末１１０との無線通信の中継局であり、本実施形態では基地局１２０を挙げて説明するが、無線ＬＡＮのアクセスポイント等様々な中継局を適用することができる。
【００２６】
当該無線通信システム１００では、携帯通信端末１１０は、基地局１２０を通じて他の携帯通信端末１１０との通信を実行でき、単独でＷｅｂサーバ１４０にアクセスすることもできる。また、地上波デジタル放送の一形態であるワンセグ放送によるテレビ番組の視聴も可能である。一方、テレビジョン装置１６０は、放送局１５０からの地上波デジタル放送である１２セグ放送を受信、表示することができる。ここでは、地上波デジタル放送としてワンセグ放送および１２セグ放送を例に挙げて説明しているが、地上波デジタル放送の受信放送形態は問われず、セグメントの数も様々な値をとることができる。本実施形態では、このような携帯通信端末１１０とテレビジョン装置１６０とを連携動作させ、テレビ放送、データ放送、Ｗｅｂコンテンツをそれぞれ適切な表示面積で表示することを目的としている。以下、携帯通信端末１１０およびテレビジョン装置１６０の具体的な構成を述べ、その後で、両者の連携動作を詳述する。
【００２７】
（携帯通信端末１１０）
図２は、携帯通信端末１１０のハードウェア構成を示した機能ブロック図であり、図３は、携帯通信端末１１０の外観を示した斜視図である。携帯通信端末１１０は、端末制御部２１０と、端末メモリ２１２と、端末ディスプレイ２１４と、操作キー群２１６と、タッチパネル２１８と、スムースタッチ部２２０と、音声入力部２２２と、音声出力部２２４と、第１無線通信部２２６と、第２無線通信部２２８と、端末放送受信部２３０と、端末放送表示部２３２とを含んで構成される。
【００２８】
かかる携帯通信端末１１０としては、携帯電話、ＰＨＳ端末、ノート型パーソナルコンピュータ、ＰＤＡ（Personal Digital Assistant）、デジタルカメラ、音楽プレイヤー、カーナビゲーション、ゲーム機器、ＤＶＤプレイヤー等無線通信可能な様々な電子機器を用いることもできる。
【００２９】
端末制御部２１０は、中央処理装置（ＣＰＵ）を含む半導体集積回路により携帯通信端末１１０全体を管理および制御し、端末メモリ２１２のプログラムを用いて、通話機能、メール送受信機能、撮像機能、音楽再生機能、ＴＶ視聴機能も遂行する。端末メモリ２１２は、ＲＯＭ、ＲＡＭ、ＥＥＰＲＯＭ、不揮発性ＲＡＭ、フラッシュメモリ、ＨＤＤ等で構成され、端末制御部２１０で処理されるプログラムや音声データ等を記憶する。
【００３０】
端末ディスプレイ２１４は、液晶ディスプレイ、ＥＬ(Electro Luminescence)等で構成され、端末メモリ２１２に記憶された、または通信網１３０を介してＷｅｂサーバ１４０から提供される、ＷｅｂコンテンツやアプリケーションのＧＵＩ（Graphical User Interface）を表示することができる。
【００３１】
操作キー群２１６は、キーボード、十字キー、ジョイスティック等の可動スイッチで構成され、ユーザの操作入力を受け付ける。タッチパネル２１８は、端末ディスプレイ２１４表面に対するその表示に対応したユーザの操作入力を受け付ける。スムースタッチ部２２０は、操作キー群２１６の押下を伴わない操作キー群２１６表面への接触を通じてユーザの操作入力を受け付ける。
【００３２】
かかる構成により、例えば、操作キー群２１６を通じてテレビジョン装置１６０のチャネル、音量、入力切換等を操作し、タッチパネル２１８を通じてデータ放送を操作し、スムースタッチ部２２０を通じてテレビジョン装置１６０に表示したＷｅｂコンテンツのスクロールやポインティング等を実行することができる。従って、１台の携帯通信端末１１０のみを用いて、かつ、異なる操作形態を通じて、全ての主要なデジタル放送コンテンツのＧＵＩ操作が可能となる。
【００３３】
また、上記の操作形態（操作キー群２１６、タッチパネル２１８、スムースタッチ部２２０）と操作対象（テレビ放送、データ放送、Ｗｅｂコンテンツ）との組合せは任意に変更することが可能であり、また、操作キー群２１６の各操作キーそれぞれの機能を任意に設定することも可能である。
【００３４】
音声入力部２２２は、マイク等の音声認識手段で構成され、通話時に入力されたユーザの音声を携帯通信端末１１０内で処理可能な電気信号に変換する。音声出力部２２４は、スピーカで構成され、携帯通信端末１１０で受信した通話相手の音声信号を音声に変えて出力する。また、着信音や、操作キー群２１６の操作音、アラーム音等も出力できる。
【００３５】
第１無線通信部２２６は、ＣＤＭＡやＷｉＭＡＸ等の無線通信方式を通じて基地局１２０との無線通信を確立し、通信相手との音声通信やＷｅｂ情報の取得等のデータ通信を遂行する。ここでＷｅｂ情報は、ＨＴＭＬ文書、リンクオブジェクト、および必要な画像データを含み、後述する端末放送受信部２３０により取得したワンセグ放送に付随したデータ放送におけるＷｅｂ  ｔｏ機能を通じて取得される。かかる構成により、煩わしい手入力によるＷｅｂサーバ１４０の指定を伴うことなく、ワンセグ放送に関連したＷｅｂコンテンツを容易に取得することができる。
【００３６】
第２無線通信部２２８は、ＷｉＦｉやブルートゥース等の無線通信方式を通じて、所望するＷｅｂコンテンツをテレビジョン装置１６０に表示させるためのＷｅｂ情報および後述する端末放送受信部２３０が受信しているワンセグ放送のチャネル情報をテレビジョン装置１６０に送信する。
【００３７】
端末放送受信部２３０は、ワンセグ放送を受信する。端末放送表示部２３２は、端末放送受信部２３０が受信したワンセグ放送を端末ディスプレイ２１４に表示する。また、端末放送表示部２３２は、後述するテレビジョン装置１６０のチャネル連動部３３０によるチャネルの連動が実行されたことを認識した後、端末ディスプレイ２１４へのワンセグ放送の表示を切断する。
【００３８】
かかる構成により、文字案内を含むデータ放送を、端末ディスプレイ２１４全域を利用して視認することができる。従って、文字視認は手元の装置（携帯通信端末１１０）で、テレビ放送やＷｅｂコンテンツの視聴は大画面、高解像度の装置（テレビジョン装置１６０）でといった具合に、それぞれを目的に合った適切な表示装置および表示面積に割り当てることが可能となる。
【００３９】
また、上記端末制御部２１０は、テレビ放送、データ放送、Ｗｅｂコンテンツ等の各表示を端末ディスプレイ２１４またはテレビジョン装置１６０の後述するＴＶディスプレイ３１４にそれぞれ任意に振り分けて表示する配置変更部２４０としても機能する。
【００４０】
携帯通信端末１１０では想定される３つ全ての画面を表示できる。またテレビジョン装置１６０にも表示させることができる。従って、本実施形態では、最適な表示として携帯通信端末１１０でデータ放送、テレビジョン装置１６０でテレビ放送およびＷｅｂコンテンツを表示しているが、その配置を自由に変更することもできる。
【００４１】
上述したように当該携帯通信端末１１０には、チューナが搭載され、テレビジョン装置１６０を介すことなくワンセグ放送やそれに付随するデータ放送を受信できる。本実施形態においては、携帯通信端末１１０がトリガとなって自体で受信しているテレビ番組（チャネル）を、大画面、高解像度のテレビジョン装置１６０に連動して表示させることができ、リモートコントローラの如く手元でテレビジョン装置１６０のチャネルを選択することが可能となる。
【００４２】
また、携帯通信端末１１０およびテレビジョン装置１６０の両方を１つの携帯通信端末１１０で操作することが可能となることから、煩雑な複数のリモートコントローラを準備する必要すらなく、時間や場所に拘わらず、携帯している可能性が高い携帯通信端末を用いて容易に操作することが可能となる。
【００４３】
（テレビジョン装置１６０）
図４は、テレビジョン装置１６０の概略的な構成を示したブロック図である。テレビジョン装置１６０は、ＴＶ制御部３１０と、ＴＶメモリ３１２と、ＴＶディスプレイ３１４と、ＴＶ放送受信部３１６と、ＴＶ放送表示部３１８と、ＴＶ無線通信部３２０とを含んで構成される。本実施形態においては、テレビジョン装置１６０が放送局１５０からの電波を通じてテレビ放送を受信する例を挙げているが、かかる場合に限らず、テレビ放送配信サービスを行っている配信業者から有線によってテレビ放送を受信する場合も当該技術的範囲に属する。
【００４４】
ＴＶ制御部３１０は、中央処理装置（ＣＰＵ）を含む半導体集積回路によりテレビジョン装置１６０全体を管理および制御する。ＴＶメモリ３１２は、ＲＯＭ、ＲＡＭ、ＥＥＰＲＯＭ、不揮発性ＲＡＭ、フラッシュメモリ、ＨＤＤ等で構成され、ＴＶ制御部３１０で処理されるプログラム等を記憶する。
【００４５】
ＴＶディスプレイ３１４は、液晶ディスプレイ、ＰＤ（Plasma Display Panel）、ＥＬ(Electro Luminescence)等で構成され、１２セグ放送やＷｅｂコンテンツを表示できる。ＴＶ放送受信部３１６は、１２セグ放送を受信する。ＴＶ放送表示部３１８は、ＴＶ放送受信部３１６が受信した１２セグ放送をＴＶディスプレイ３１４に表示する。
【００４６】
ＴＶ無線通信部３２０は、ＷｉＦｉやブルートゥース等の無線通信方式を通じて携帯通信端末１１０との無線通信を確立し、携帯通信端末１１０からＷｅｂ情報やチャネル情報を受信する。
【００４７】
また、ＴＶ制御部３１０は、チャネル連動部３３０やＷｅｂ表示部３３２としても機能する。
【００４８】
チャネル連動部３３０は、ＴＶ無線通信部３２０が受信したチャネル情報により特定される１２セグ放送をＴＶ放送受信部３１６に受信させる。従って、煩雑な複数のリモートコントローラを要さず、時間や場所に拘わらず、携帯通信端末１１０を用いて容易にテレビジョン装置１６０のチャネルを切り換えることが可能となる。
【００４９】
Ｗｅｂ表示部３３２は、Ｗｅｂブラウザを備え、ＴＶ無線通信部３２０が受信したＷｅｂ情報によって特定されるＷｅｂコンテンツをＴＶディスプレイ３１４に出力（表示）する。このとき、Ｗｅｂ表示部３３２は、Ｗｅｂコンテンツと１２セグ放送とを並べて表示することができる。
【００５０】
図５は、Ｗｅｂコンテンツおよび１２セグ放送の表示例を示したイメージ図である。ここでは、テレビジョン装置１６０のＴＶディスプレイ３１４を分割して、Ｗｅｂコンテンツ３５０および１２セグ放送３５２を表示し、データ放送３５４のみ手元の携帯通信端末１１０に表示している。かかる構成により、大画面、高解像度でＷｅｂコンテンツと１２セグ放送とを同時に視聴することが可能となる。
【００５１】
以上説明したように、本実施形態では、第１無線通信部２２６がＣＤＭＡやＷｉＭＡＸ等を用いてＷｅｂサイトに接続、ＨＴＭＬ文書およびリンクオブジェクトを含むＷｅｂ情報を受信し、第２無線通信部２２８がＷｉＦｉやブルートゥース等を用いてそのＷｅｂ情報をテレビジョン装置１６０に送信する。さらに、テレビジョン装置１６０では、Ｗｅｂブラウザを備えたＷｅｂ表示部３３２がＷｅｂ情報によって特定されるＷｅｂコンテンツをテレビ番組同様そのＴＶディスプレイ３１４に出力する。
【００５２】
このように、Ｗｅｂ情報の取得経路として携帯通信端末１１０を、その表示装置として既存のテレビジョン装置１６０を有効に用いることで、Ｗｅｂコンテンツを視認するために携帯通信端末１１０を把持した状態で静止しなければならないといった煩わしさを排除できると共に、テレビ放送とＷｅｂコンテンツとをそれぞれ適切な表示装置および表示面積によって並行して視聴することが可能となる。
【００５３】
例えば、テレビ放送を楽しみながらＷｅｂブラウザでネットサーフィンしたり、テレビ放送中理解できなかった単語を検索サーバで検索したり、野球やサッカー中継を表示しつつ、他のチームの試合結果をＷｅｂブラウザで確認したり、クイズ番組の回答をＷｅｂブラウザを通じて行ったりすることが可能となる。
【００５４】
（端末操作方法）
次に、携帯通信端末１１０を用いてテレビジョン装置１６０を操作する端末操作方法を説明する。
【００５５】
図６は、端末操作方法の全体的な流れを示したフローチャートである。ユーザが携帯通信端末１１０によるワンセグ放送の視聴を試みた場合、端末放送表示部２３２は、端末放送受信部２３０が受信したワンセグ放送を端末ディスプレイ２１４に表示する（Ｓ４００）。このとき併せて受信されたデータ放送を端末ディスプレイ２１４に並べて表示してもよい。
【００５６】
かかる携帯通信端末１１０を通じてユーザがテレビジョン装置１６０の起動を試みた場合（Ｓ４０２）、第２無線通信部２２８は、テレビジョン装置１６０に対して起動要求を出し、テレビジョン装置１６０は、それに反応して自体を起動する（Ｓ４０４）。
【００５７】
このようにしてテレビジョン装置１６０が起動された後（Ｓ４０６）、ユーザが携帯通信端末１１０を通じて、チャネル切換を試みると（Ｓ４０８）、第２無線通信部２２８は、テレビジョン装置１６０にチャネル情報を送信し、テレビジョン装置１６０のチャネル連動部３３０は、かかるチャネル情報により特定される１２セグ放送をＴＶ放送表示部３１８に表示させる（Ｓ４１０）。こうして容易な操作による大画面、高解像度での視聴が可能となる。このとき、携帯通信端末１１０の端末放送表示部２３２は、テレビジョン装置１６０へのテレビ放送の表示を確認してワンセグ放送の表示を切断する（Ｓ４１２）。従って携帯通信端末１１０の端末ディスプレイ２１４にはデータ放送が全画面表示される。
【００５８】
ここで、ユーザが、端末ディスプレイ２１４に表示されているデータ放送のＷｅｂ  ｔｏ機能を利用してＷｅｂ情報を取得すると（Ｓ４１４）、第２無線通信部２２８がかかるＷｅｂ情報をテレビジョン装置に送信し、テレビジョン装置１６０のＷｅｂ表示部３３２は、ＴＶディスプレイ３１４を２分割して、その一方にそれまでの１２セグ放送を維持すると共に、他方にＷｅｂブラウザを立ち上げ、Ｗｅｂ情報に含まれるＨＴＭＬ文書とリンクオブジェクトによって特定されるＷｅｂコンテンツをそのＷｅｂブラウザに表示する（Ｓ４１６）。
【００５９】
以後、ユーザは、操作キー群２１６を通じてテレビジョン装置１６０のチャネル、音量、入力切換等を操作し、タッチパネル２１８を通じてデータ放送を操作し、スムースタッチ部２２０を通じてテレビジョン装置１６０に表示したＷｅｂコンテンツのスクロールやポインティング等を実行することができる。
【００６０】
上記スムースタッチ部２２０では、ノート型パーソナルコンピュータにおけるキーパット同様、操作キー群２１６の表面に触れる、触れたまま移動する、表面から離すといった動作を通じてスクロールや選択といった様々なインターフェースを形成することができる。このときＷｅｂコンテンツの、当該スムースタッチ部２２０を通じて選択した位置に例えば「＜A HREF=http://AAA/index.html＞＜/A＞」で特定されるリンクオブジェクトがあった場合、その旨を携帯通信端末１１０に通知し、携帯通信端末１１０は、その通知に基づき、第１無線通信部２２６を通じてＨＴＭＬ文書を更新し、再びＷｅｂ情報をテレビジョン装置１６０に送信する。また、スムースタッチ部２２０を通じて「更新」、「中止」、「ブックマーク登録」のいずれかが選択された場合、そのような指令があったことを携帯通信端末１１０に伝達する。
【００６１】
スムースタッチ部２２０を通じた指令が新たなＷｅｂコンテンツの表示であれば、元のＷｅｂブラウザに重畳して新たなＷｅｂブラウザを表示してもよいし、さらなるＴＶディスプレイ３１４の分割による新たな分割画面に新規にＷｅｂブラウザを表示してもよい。
【００６２】
かかる端末操作方法によっても、テレビジョン装置１６０がインターネットに接続可能であるか否かに拘わらず、携帯通信端末１１０を介してＷｅｂ情報を取得することで、テレビ放送とＷｅｂコンテンツとをそれぞれ適切な表示装置および表示面積によって並行して視聴することが可能となる。
【００６３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６４】
なお、本明細書の端末操作方法における各工程は、必ずしもフローチャートとして記載された順序に沿って時系列に処理する必要はなく、並列的あるいはサブルーチンによる処理を含んでもよい。
【産業上の利用可能性】
【００６５】
本発明は、地上波デジタル放送を受信可能なテレビジョン装置の表示を操作可能な無線通信システム、携帯通信端末および端末操作方法に利用することができる。
【図面の簡単な説明】
【００６６】
【図１】無線通信システムの概略的な接続関係を示した説明図である。
【図２】携帯通信端末のハードウェア構成を示した機能ブロック図である。
【図３】携帯通信端末の外観を示した斜視図である。
【図４】テレビジョン装置の概略的な構成を示したブロック図である。
【図５】Ｗｅｂコンテンツおよび１２セグ放送の表示例を示したイメージ図である。
【図６】端末操作方法の全体的な流れを示したフローチャートである。
【符号の説明】
【００６７】
１００  …無線通信システム
１１０  …携帯通信端末
１２０  …基地局（アクセスポイント）
１６０  …テレビジョン装置
２１４  …端末ディスプレイ
２１６  …操作キー群
２１８  …タッチパネル
２２０  …スムースタッチ部
２２６  …第１無線通信部
２２８  …第２無線通信部
２３０  …端末放送受信部
２３２  …端末放送表示部
２４０  …配置変更部
３１４  …ＴＶディスプレイ
３１６  …ＴＶ放送受信部
３１８  …ＴＶ放送表示部
３２０  …ＴＶ無線通信部
３３０  …チャネル連動部
３３２  …Ｗｅｂ表示部
【図１】
2009290395.tif 000003
【図２】
2009290395.tif 000004
【図３】
2009290395.tif 000005
【図４】
2009290395.tif 000006
【図５】
2009290395.tif 000007
【図６】
2009290395.tif 000008